(57)【要約】【課題】現場に出向かなければ確認が困難な商品・サービスに対して、その状態、状況、写真などを通信網によっていつでもどこでも確認できる情報を提供し、その情報に基づき、顧客が承認、否認、および取引を自動的に実行できる取引方法を提供する。【解決手段】提供者が提供している商品・サービスについて、顧客に引き渡す前に商品・サービスの状態、状況、写真などを提供者端末１０１から各種通信網１０４を介して電子情報蓄積機１０５に登録し、特定または複数の顧客端末１０２ａ〜１０２ｃへ自動的に振り分けて情報を流通させる。また、提供者端末１０１から業者端末１０３へも情報を流通させる。これら一連の流れを分断することなく継続して、あらかじめ設定された伝達ルートに従い自動的に情報を流通させる。つまり、各種通信網を通じてワークフローによる取引方法を実施するものである。【選択図】      図１
2006048337.tif 000002
【特許請求の範囲】
【請求項１】
商品・サービスに対する調査、検査、情報収集およびそれらに付随する写真などの撮影をする過程と、
前記調査、検査、情報収集、撮影に基づき得られた情報を作成する過程と、
前記調査、検査、情報収集、撮影に基づき得られた情報を電子情報蓄積機に格納する過程と、
前記調査、検査、情報収集、撮影に基づき得られた情報を特定または複数の顧客端末にて閲覧する過程と、
前記調査、検査、情報収集、撮影に基づき得られた情報に対して複数の顧客端末から意思表示する過程と、
提供者端末において顧客からの意思表示を確認する過程と、
顧客からの意思表示に沿ったさまざまな手配および業務依頼を行う過程と、
前記業務依頼を業者端末により確認する過程とをあらかじめ設定された伝達ルートに従い自動的に情報を流通させることを特徴とする取引方法。
【請求項２】
請求項１に記載の自動情報流通の取引方法において、
対象物がマグロなど遠洋漁業商品や穀物など農林商品の第一次産業商品であること、および対象物が建設、機械、電子機器、化学、食品などの第二次産業商品であること、および対象物が金融、卸小売、サービスなどの第三次産業商品であることを特徴とする自動情報流通の取引方法。
【発明の詳細な説明】
【技術分野】
【０００１】
本発明は、物事の取引の情報を自動的に流通させる取引方法に関する。
【背景技術】
【０００２】
従来、現場に出向かなければ確認が困難な商品・サービスが多くあるが、第一次産業の遠洋マグロ漁業などは世界のさまざまな洋上にあり、さらに常に魚群を求めて移動しており、取引のために買い手が品質確認のため、現場確認の出向くことは不可能である。また、通常は遠洋マグロ漁業では出港前に船単位での取引契約を行うことが多く、不漁や品質の問題により売り手買い手とも不利益を得ることもある。遠洋マグロ漁船側は漁獲したマグロを洋上において、高値で落札してくれる買い手を見つけたいことは当然のことである。買い手も品質のよいマグロを手に入れたいのは当然のことである。
【０００３】
さらに、現場に出向かなければ確認が困難な商品・サービスにおいて、第二次産業の建築物を例にとると、施主の住所地と施工住所地が遠方の場合、造成、基礎工事、木工事、外部工事、内部工事、竣工などの建築施工状況を、その現場に頻繁に出向いて確認しなければならず、多くの旅費や時間を費やすことになる。
【０００４】
さらに、現場に出向かなければ確認が困難な商品・サービスにおいて、第三次産業の店舗売場管理を例にとると、売場責任者やスーパーバイザーが実際に頻繁に売場に出向き、商品の陳列レイアウト、客の流れ、価格と客の反応などを調査し、常に確認しなければならなかった。対応が少しでも遅れれば、逸失利益も大きく、売上や収益に大きな影響を与える。
【０００５】
従来はこの対処として、プリント写真を郵送して確認する方法、インターネットや電子メールによる方法が考えられている。郵送は写真撮影、現像、プリントして郵送することになるが時間を要する。インターネットホームページにて確認する場合では、撮影、ホームページ作成、FTPアップロードの作業が必要であり面倒であり時間がかかる。電子メールの場合は、情報送付では短時間にて行うことができるが、送信者が不在だったり多忙の場合、情報送付忘れ、情報紛れ込みなどを生むケースがしばしばあった。
【発明の開示】
【発明が解決しようとする課題】
【０００６】
本発明は上記従来技術の課題に鑑みて、提供者が提供している商品・サービスについて、顧客に引き渡す前に商品・サービスの状態、状況、写真などの情報を各種通信網により電子情報蓄積機に登録し、特定または複数の顧客へ振り分けて自動的に情報を流通させる取引方法を提供することを目的とする。
【０００７】
また、本発明は、提供者から業者へも情報を流通させ、自動的に情報を流通させる取引方法を提供することを目的とする。
【０００８】
さらに、本発明は、商品・サービスを引き渡す前の状態、状況、写真などの情報から始まり、最終的に商品が引き渡されるまでの一連の情報の流れを分断することなく継続して自動的に情報を流通させる取引方法を提供することを目的とする。
【課題を解決するための手段】
【０００９】
上記課題を解決するため、商品・サービスに対する調査、検査、情報収集およびそれらに付随する写真などの撮影をする過程と、それらの情報を作成する過程と、電子情報蓄積機に格納する過程と、それらの情報を特定または複数の顧客端末にて閲覧する過程と、複数の顧客端末から意思表示する過程と、顧客からの意思表示を確認する過程と、顧客からの意思表示に沿ったさまざまな手配および業務依頼を行う過程と、その業者端末により業務依頼を確認する過程とを自動的に情報を流通させることを特徴とする。
【００１０】
上記商品・サービスに対する調査、検査、情報収集およびそれらに付随する写真などの撮影をする過程、上記情報を作成する過程、上記電子情報蓄積機に格納する過程は、上記顧客端末にて閲覧する過程、上記顧客端末から意思表示する過程、上記顧客からの意思表示を確認する過程、上記顧客からの意思表示に沿ったさまざまな手配および業務依頼を行う過程、上記業務依頼を確認する過程は、携帯用端末から行う過程と備付端末から行う過程のうちいずれか１つ以上からなることを特徴とする。
【００１１】
上記商品・サービスに対する調査、検査、情報収集およびそれらに付随する写真などの撮影をする過程、上記情報を作成する過程、上記電子情報蓄積機に格納する過程は、上記顧客端末にて閲覧する過程、上記顧客端末から意思表示する過程、上記顧客からの意思表示を確認する過程、上記顧客からの意思表示に沿ったさまざまな手配および業務依頼を行う過程、上記業務依頼を確認する過程は、すべて分断することなく継続して、あらかじめ設定された伝達ルートに従い情報を自動的に流通させることを特徴とする。
【００１２】
上記商品・サービスに対する調査、検査、情報収集およびそれらに付随する写真などの撮影をする過程、上記情報を作成する過程、上記電子情報蓄積機に格納する過程は、上記顧客端末にて閲覧する過程、上記顧客端末から意思表示する過程、上記顧客からの意思表示を確認する過程、上記顧客からの意思表示に沿ったさまざまな手配および業務依頼を行う過程、上記業務依頼を確認する過程は、電子情報蓄積機を大本として情報が蓄積されその受け渡しは各種通信網を用いることを特徴とする。
【発明の効果】
【００１３】
このように、本発明の自動情報流通の取引方法によれば、現場に出向かなければ確認が困難な商品・サービスに対して、その状態、状況、写真などを通信網によっていつでもどこでも確認できる情報を提供し、その情報に基づき、顧客が承認、否認、および取引を自動的に実行できる。
また、本発明の自動情報流通の取引方法によれば、商品・サービスを引き渡す前の状態、状況、写真などの情報から始まり、最終的に商品が引き渡されるまでの一連の情報の流れを分断することなく継続して自動的に情報を流通させることができる。
【発明を実施するための最良の形態】
【００１４】
次に、本発明の実施するための最良の形態を図面に基づき説明する。
【００１５】
図１において、１０１は商品・サービスの提供者端末、１０２ａ〜１０２ｃは顧客端末、１０３は業者端末、１０４はインターネットなどの各種通信網、１０５は電子情報蓄積機である。なお、端末とは携帯用端末および備付端末などである。
【００１６】
提供者端末１０１、顧客端末１０２ａ〜１０２ｃ、業者端末１０３および電子情報蓄積機１０５はインターネットなどの各種通信網１０4によって、各種情報をいつでもどこでも通信できる状態になっている。
【００１７】
図２は、本発明の実施についての詳細図である。本発明は、現場に出向かなければ確認が困難な商品・サービスに対して、提供者が調査・検査・情報収集２０１を行い、かつそれらの情報に付随する被写体撮影２０２を行い、それらの情報を提供者端末１０１から各種通信網１０4を介して電子情報蓄積機１０５に格納する。
【００１８】
電子情報蓄積機１０５に格納された情報は、格納された時点であらかじめ伝達ルートが設定されている顧客端末１０２ａ〜１０２ｃに自動伝達され、提供者端末１０１から登録された情報の閲覧２０３が行われる。
【００１９】
顧客端末１０２ａ〜１０２ｃでは、提供者端末１０１から登録された情報の閲覧２０３により判断し、情報閲覧後の注文、承認・否認などの意思表示及び伝達２０４を、顧客端末１０２ａ〜１０２ｃを使い各種通信網１０4を介して電子情報蓄積機１０５に格納される。
【００２０】
電子情報蓄積機１０５に格納された顧客の情報閲覧後の注文、承認・否認などの意思表示及び伝達２０４は、あらかじめ伝達ルートが設定されている提供者端末１０１に自動伝達され、顧客の意思の確認２０５が行われる。
【００２１】
提供者は顧客の意思の確認２０5を行った後、提供者端末１０１を使って顧客の意思に沿った手配および業務依頼２０６を入力し、各種通信網１０4を介して電子情報蓄積機１０５に格納する。
【００２２】
電子情報蓄積機１０５に格納された顧客の意思に沿った手配および業務依頼２０６は、各種通信網１０４を介して、あらかじめ伝達ルートが設定されている業者端末１０３に自動伝達され、業者側では業務依頼の確認２０７を行った後、実業務を行い業務終了２０８となる。
【実施例】
【００２３】
図3は本発明実施例の一つである店舗売場管理についてであり、３０１は店舗売場見取図、３０１ａ〜３０１ｃは撮影ポイント、３０２は撮影、３０３は店員端末、３０４は店員の端末画面情報、３０５は店長端末、３０６は店長の端末画面情報である。
【００２４】
店員が店舗売場見取図３０１の撮影ポイント３０１ａ〜３０１ｃにおいて、売場状況を撮影して店員端末３０３から入力された店員の端末画面情報３０４は、各種通信網104を介して電子情報蓄積機１０５に格納される。
【００２５】
電子情報蓄積機１０５に格納された店員の端末画面情報３０４は、あらかじめ設定された伝達ルートに従い、店長端末３０５に表示され、店長は店長の端末画面情報３０６を入力し、各種通信網104を介して電子情報蓄積機１０５に格納される。
【００２６】
電子情報蓄積機１０５に格納された店長の端末画面情報３０６は、あらかじめ設定された伝達ルートに従い、店員端末３０３に表示され、店長が指示した事項を実施する。
【産業上の利用可能性】
【００２７】
本発明の自動情報流通の取引方法によれば、第一次産業の遠洋マグロ漁業などは世界のさまざまな洋上にあっても、写真等による品質確認ができ、現場確認の出向くことなく、品質のよいマグロを洋上にて売買、取引できるようになる。
さらに、本発明の自動情報流通の取引方法によれば、第二次産業の建築物において施主の住所地と施工住所地が遠方の場合、造成、基礎工事、木工事、外部工事、内部工事、竣工などの建築施工状況を、その現場に頻繁に出向かなくても確認できるようになる。
特に、本発明の自動情報流通の取引方法によれば、第三次産業の店舗売場では売場責任者やスーパーバイザーが実際に売場に出向かなくても、商品の陳列レイアウト、客の流れ、価格と客の反応などを調査し、常に確認することができ、すばやい対応により、逸失利益の改善や売上・収益を増大できるようになる。
【図面の簡単な説明】
【００２８】
【図１】本発明における実施形態の全体構成図。
【図２】本発明における実施形態の詳細図。
【図３】本発明における実施形態の一つである店舗売場管理の説明図。
【符号の説明】
【００２９】
１０１                商品・サービスの提供者端末
１０２ａ〜１０２ｃ    顧客端末
１０３                業者端末
１０４                インターネットなどの各種通信網
１０５                電子情報蓄積機
２０１                調査・検査・情報収集
２０２                情報に付随する被写体撮影
２０３                提供者端末から登録された情報の閲覧
２０４                情報閲覧後の注文、承認・否認などの意思表示及び伝達
２０５                顧客の意思の確認
２０６                顧客の意思に沿った手配および業務依頼
２０７                業務依頼の確認
２０８                業務終了
３０１                店舗売場見取図
３０１ａ〜３０１ｃ    撮影ポイント
３０２                撮影
３０３                店員端末
３０４                店員の端末画面情報
３０５                店長端末
３０６                店長の端末画面情報
【図１】
2006048337.tif 000003
【図２】
2006048337.tif 000004
【図３】
2006048337.tif 000005